(57)【要約】【課題】ブラシ付きモータの扁平化を図ることができるモータ用ブラシユニットの提供。【解決手段】ブラシユニット２０，３０は、整流子８に摺接する二股状ブラシ片２１と、これを固定保持してモータケース１に嵌合する樹脂製底蓋４に植設したブラシ端子２２とを有し、ブラシ端子２２は、連結板部２２ａの一方側を屈曲して下方に第１の係止突片Ｆ１を持つ第１の差し込み固定片２２ｂと、連結板部２２ａの他方側を屈曲して下方に第２の係止突片Ｆ２を持つ第２の差し込み固定片２２ｃとを有し、第１の差し込み固定片２２ｂと第２の差し込み固定片２２ｃとが溝部２２ｄを介して向い合って成り、二股状ブラシ片２１は、その一端側が第１の差し込み固定片２２ｂに面接合されて溝部２２ｄの延長方向と平行に配向して成る。【選択図】      図２
2009177904.tif 000002
【特許請求の範囲】
【請求項１】
整流子に摺接するブラシ片と、このブラシ片を固定保持してモータケースに嵌合する樹脂製底蓋に植設したブラシ端子とを有するモータ用ブラシユニットにおいて、
前記ブラシ端子は、連結板部の一方側を屈曲して下方に第１の係止突片を持つ第１の差し込み固定片と、前記連結板部の他方側を屈曲して下方に第２の係止突片を持つ第２の差し込み固定片とを有し、前記第１の差し込み固定片と前記第２の差し込み固定片とが溝部を介して向い合って成り、前記ブラシ片は、その一端側が第１の差し込み固定片に面接合されて前記溝部の延長方向と平行に配向して成ることを特徴とするモータ用ブラシユニット。
【請求項２】
請求項１に記載のモータ用ブラシユニットを用いて成るブラシ付きモータにおいて、前記樹脂製底蓋は、前記第１及び第２の差し込み固定片に対応した第１及び第２の差し込み溝と、前記第１及び第２の係止突片に対応した第１及び第２の貫通孔と、少なくとも一方の前記貫通孔から突出した前記係止突片に接続したリード線を前記モータケースのラジアル方向に引き出すための外面側配線収容凹所とを有することを特徴とするブラシ付きモータ。
【請求項３】
請求項２に記載のブラシ付きモータにおいて、前記樹脂製底蓋は、その外周縁の外面側の一部に前記モータケースの下端縁を内側に押し曲げて固定するカシメ用凹部と、前記外周縁の内面側で前記カシメ用凹部に対応した位置に肉盛りされた補強凸部とを有することを特徴とするブラシ付きモータ。
【発明の詳細な説明】
【技術分野】
【０００１】
本発明は、ブラシ付きモータにおけるブラシユニットの構造及びそのブラシユニットの支持構造に関する。
【背景技術】
【０００２】
小型モータに用いるブラシユニットとしては、例えば、特開平９−２１５２７８に開示される如く、整流子に摺接するブラシ片と、このブラシ片を固定保持してモータケースに嵌合する底蓋に植設したブラシ端子片とを有し、このブラシ端子片はアンカー効果を奏する係止突起を持ち、底蓋の貫通孔に差し込み固定されている。
【特許文献１】特開平９−２１５２７８（図１、図２）
【発明の開示】
【発明が解決しようとする課題】
【０００３】
しかしながら、係止突起が貫通孔の孔壁に掛かり止まるブラシ端子片では、整流子に対するブラシ片の直交度に影響するブラシ端子片の倒れを抑制するため、ブラシ端子片の貫通孔に対する差し込み深さを確保する必要性から、貫通孔の深さ、つまり底蓋の厚さを必然的に厚くせねばならず、それ故、小型モータの扁平化の障害となる。
【０００４】
そこで上記問題点に鑑み、本発明の課題は、ブラシ付きモータの扁平化を図ることができるモータ用ブラシユニットを提供することにある。
【課題を解決するための手段】
【０００５】
上記課題を解決するために、本発明は、整流子に摺接するブラシ片と、このブラシ片を固定保持してモータケースに嵌合する樹脂製底蓋に植設したブラシ端子とを有するモータ用ブラシユニットにおいて、ブラシ端子は、連結板部の一方側を屈曲して下方に第１の係止突片を持つ第１の差し込み固定片と、連結板部の他方側を屈曲して下方に第２の係止突片を持つ第２の差し込み固定片とを有し、第１の差し込み固定片と第２の差し込み固定片とが溝部を介して向い合って成り、ブラシ片は、その一端側が第１の差し込み固定片に面接合されて上記溝部の延長方向と平行に配向して成ることを特徴とする。
【０００６】
斯かる構造のモータ用ブラシユニットにおいては、ブラシ端子が第１の係止突片を持つ第１の差し込み固定片と第２の係止突片を持つ第２の差し込み固定片とで溝部を形成する二股状に構成されているため、各差し込み固定片の樹脂製底蓋に対する差し込み深さが短くても、ブラシ端子の支持強度を高めることができるので、樹脂製底蓋の厚さを薄くでき、ブラシ付きモータの扁平化を図ることができる。
【０００７】
ここで、このモータ用ブラシユニットを用いたブラシ付きモータにおいては、第１及び第２の差し込み固定片に対応した第１及び第２の差し込み溝と、第１及び第２の係止突片に対応した第１及び第２の貫通孔と、少なくとも一方の貫通孔から突出した係止突片に接続したリード線をモータケースのラジアル方向に引き出すための外面側配線凹所とを有する樹脂製底蓋を用いることが望ましい。
【０００８】
差し込み固定片の係止突片に接続したリード線を樹脂製底蓋の外面側配線収容凹所内を介してモータケースのラジアル方向へ引き出すことができるので、樹脂製底蓋を基板や機器に密着させてブラシ付きモータを実装でき、少なくともリード線の線径分だけ実装高さを抑制できる。
【０００９】
更に樹脂製底蓋としては、その外周縁の外面側の一部にモータケースの下端縁を内側に押し曲げて固定するためのカシメ用凹部と、外周縁の内面側でカシメ用凹部に対応した位置に肉盛りされた補強凸部とを有することが望ましい。
【００１０】
補強凸部が外周縁の内面側でカシメ用凹部に対応した位置に形成されているので、モータケースの下端縁をカシメ用凹部にカシメ固定する際などにおいては、厚さが薄い樹脂製底蓋でもひび割れなどを抑制できる。
【発明を実施するための最良の形態】
【００１１】
次の本発明の実施例を添付図面に基づいて説明する。
【００１２】
図１は本発明の実施例に係る扁平形ブラシ付きモータを示す破断斜視図、図２は同扁平形ブラシ付きモータの組立斜視図、図３（Ａ）は同扁平形ブラシ付きモータにおけるブラシ付き底蓋の内面側を示す斜視図、図３（Ｂ）は同ブラシ付き底蓋の外面側を示す斜視図、図４は同扁平形ブラシ付きモータの底面図である。
【００１３】
本例の扁平形ブラシ付きモータは、バーリング部１ａにメタル軸受２と内周面に環状マグネット３とを夫々保持するモータケース１と、このモータケース１の下端側開口を塞ぐ樹脂製底蓋４とを有する。樹脂製底蓋４は、その内面側に受け板５及びメタル軸受６が嵌まった中央凹部４ａを有する。ロータは、シャフト７に固定した整流子８と、積層コア９に巻装したコイル１０とから成る。
【００１４】
樹脂製底蓋４は、その内面側にブラシ角９０°の配置の第１及び第２のブラシユニット２０，３０を支持している。いずれのブラシユニット２０，３０も同一構成であって、図５〜図７に示す如く、整流子８に摺接する二股状ブラシ片２１と、この二股状ブラシ片２１を固定保持して樹脂製底蓋４に植設したブラシ端子２２と、二股状ブラシ片２１の基部側に固着された制振ダンパー２３を有する。ブラシ端子２２は逆Ｕ字状（逆コ字状）屈曲板で、連結板部２２ａの一方側を屈曲して下方に第１の係止突起Ｆ１を持つ第１の差し込み固定片２２ｂと、連結板部２２ａの他方側を屈曲して下方に第２の係止突起Ｆ２を持つ第２の差し込み固定片２２ｃとを有し、第１の差し込み固定片２２ｂと第２の差し込み固定片２２ｃとが溝部２２ｄを介して向い合っている。各係止突片Ｆ１，Ｆ２は、その両片縁にアンカー効果を発揮する返し部Ｔが夫々形成されており、また、リード線端末を挿入して半田付け接続するための丸孔Ｈを有している。二股状ブラシ片２１はその一端側が２つの突起Ｗによる鋲着を以って第１の差し込み固定片２２ｂに面接合されて溝部２２ｄの延長方向と平行に配向しており、連結板部２２ａの隅部に形成された切り欠きＳにより、第１の差し込み固定片２２ｂの幅寸法は第２の差し込み固定片２２ｃの幅寸法よりも短くなっている。
【００１５】
このようなブラシユニット２０，３０を支持する樹脂製底蓋４は、その内面側において９０°配置で島状に肉盛されて第１及び第２のブラシユニット２０，３０を保持する台状の第１及び第２のブラシ支持部４０，５０を有する。各ブラシ支持部４０，５０は、第１及び第２の差し込み固定片２２ｂ，２２ｃに対応した第１及び第２の差し込み溝４１，４２と、これら第１及び第２の差し込み溝４１，４２で区画されて溝部２２ｄが嵌まる冠着凸部４３と、第１及び第２の差し込み溝４１，４２の奥に形成されて第１及び第２の係止突起Ｆ１，Ｆ２に対応した第１及び第２の貫通孔ｈ１，ｈ２とを有する。
【００１６】
樹脂製底蓋４は、第１のブラシユニット２０の第１の係止突起Ｆ１の丸孔Ｈ及び第２のブラシユニット３０の第２の係止突起Ｆ２の丸孔Ｈに一端を接続したリード線Ｌ１，Ｌ２を狭間部６１を介してモータケース１のラジアル方向に引き出すための扇状の外面側配線収容凹所６０とを有する。また、その外周縁の外面側の９０°毎にモータケース１の下端縁を内側に押し曲げて固定するための勾配のあるカシメ用凹部Ｖが形成されている。なお、Ｚは、樹脂製底蓋４でモータケース１を塞ぐ際、二股状ブラシ片２１が整流子８の周面に正しく載せるよう二股状ブラシ片２１を予め寄せ付けておくピンを挿入するための作業用長孔である。
【００１７】
このようなブラシ付きモータにおいては、各ブラシユニット２０，３０のブラシ端子２２が第１の係止突片Ｆ１を持つ第１の差し込み固定片２２ｂと第２の係止突片Ｆ２を持つ第２の差し込み固定片２２ｃとで溝部２２ｄを形成する二股状に構成され、嵌め合わせ面積が広くなっているため、各差し込み固定片２２ｂ，２２ｃの樹脂製底蓋４の差し込み溝４１，４２に対する差し込み深さが短くても、ブラシ端子２２の支持強度を高めることができるので、樹脂製底蓋４の厚さを薄くでき、ブラシ付きモータの扁平化を図ることができる。２つの突起Ｗも第１の差し込み溝４１に嵌まるため、固定強度を高めることができる。
【００１８】
また、差し込み固定片２２ｂ，２２ｃの係止突片Ｆ１，Ｆ２に接続したリード線Ｌ１，Ｌ２を樹脂製底蓋４の外面側配線収容凹所６０内を介してモータケース１のラジアル方向へ引き出すことができるので、樹脂製底蓋４を基板や機器に密着させてブラシ付きモータを実装でき、少なくともリード線Ｌ１，Ｌ２の線径分だけ実装高さを抑制できる。図４に示す半田盛りＢによりブラシ端子２２の第１，第２の差し込み溝４１，４２からの抜け止めを図ることができる。
【００１９】
図８は同扁平形ブラシ付きモータに用いる別のブラシ付き底蓋の内面側を示す斜視図である。この樹脂製底蓋４′においては、補強凸部６５が外周縁の内面側でカシメ用凹部Ｖに対応した位置に形成されている。このため、モータケース１の下端縁をカシメ用凹部Ｖにカシメ固定する際などにおいては、厚さが薄い樹脂製底蓋４′でもひび割れなどを抑制できる。
【図面の簡単な説明】
【００２０】
【図１】本発明の実施例に係る扁平形ブラシ付きモータを示す破断斜視図である。
【図２】同扁平形ブラシ付きモータの組立斜視図である。
【図３】（Ａ）は同扁平形ブラシ付きモータにおけるブラシ付き底蓋の内面側を示す斜視図、（Ｂ）は同ブラシ付き底蓋の外面側を示す斜視図である。
【図４】同扁平形ブラシ付きモータの底面図である。
【図５】（Ａ）は同扁平形ブラシ付きモータに用いるブラシユニットを示す斜視図、（Ｂ）は同ブラシユニットを裏側から見た斜視図である。
【図６】（Ａ）は同ブラシユニットの平面図、（Ｂ）は同ブラシユニットの正面図、（Ｃ）は同ブラシユニットの底面図である。
【図７】（Ａ）は同ブラシユニットの背面図、（Ｂ）は同ブラシユニットの右側面図、（Ｃ）は同ブラシユニットの左側面図である。
【図８】同扁平形ブラシ付きモータに用いる別のブラシ付き底蓋の内面側を示す斜視図である。
【符号の説明】
【００２１】
１…モータケース
１ａ…バーリング部
２，６…メタル軸受
３…環状マグネット
４，４′…樹脂製底蓋
４ａ…中央凹部
５…受け板
７…シャフト
８…整流子
９…積層コア
１０…コイル
２０…第１のブラシユニット
２１…二股状ブラシ片
２２…ブラシ端子
２２ａ…連結板部
２２ｂ…第１の差し込み固定片
２２ｃ…第２の差し込み固定片
２２ｄ…溝部
２３…制振ダンパー
３０…第２のブラシユニット
４０…第１のブラシ支持部
４１…第１の差し込み溝
４２…第２の差し込み溝
４３…冠着凸部
５０…第２のブラシ支持部
６０…外面側配線収容凹所
６１…狭間部
６５…補強凸部
Ｂ…半田盛り
Ｆ１…第１の係止突起
Ｆ２…第２の係止突起
Ｈ…丸孔
ｈ１…第１の貫通孔
ｈ２…第２の貫通孔
Ｌ１，Ｌ２…リード線
Ｓ…切り欠き
Ｔ…返し部
Ｖ…カシメ用凹部
Ｗ…突起
Ｚ…作業用長孔
【図１】
2009177904.tif 000003
【図２】
2009177904.tif 000004
【図３】
2009177904.tif 000005
【図４】
2009177904.tif 000006
【図５】
2009177904.tif 000007
【図６】
2009177904.tif 000008
【図７】
2009177904.tif 000009
【図８】
2009177904.tif 000010